(57)【要約】【課題】鏡を手前側に近づけるだけでなく、身長の小さな子どもや座って洗面化粧作業をする使用者であっても鏡下端から写すものが外れることのない使い勝手のよいミラーキャビネットを提供する。【解決手段】本発明では、ミラーキャビネットに水平方向回動自在に軸支された枠体と、前記枠体の軸支辺の対辺側に水平方向回動自在に軸支された鏡とを有するミラーキャビネットにおいて、前記枠体は４頂点近傍でそれぞれ上下方向に回動自在に軸連結され、前記軸連結により形成された四節平行四辺形リンクにより前記枠体に軸支した鏡を上下方向に移動可能に形成したことを特徴とするミラーキャビネットとする。【選択図】  図２
2011206386.tif 000002
【特許請求の範囲】
【請求項１】
ミラーキャビネット本体と、
鏡と、
枠体と、を備え、
前記枠体は垂直方向の第一の辺と、前記第一の辺と平行な第二の辺と、前記第一の辺と前記第二の辺を接続する横枠辺と、からなり、
前記枠体は前記第一の辺を前記ミラーキャビネット本体に水平方向回動自在に軸支され、
前記鏡は前記枠体の前記第一の辺と平行な第二の辺に水平方向回動自在に軸支され、
前記第一の辺および前記第二の辺は、前記横枠辺とそれぞれ上下方向に回動自在に軸連結されていることを特徴とするミラーキャビネット。
【請求項２】
前記鏡が照明を備えることを特徴とする請求項１に記載のミラーキャビネット。
【発明の詳細な説明】
【技術分野】
【０００１】
本発明は、洗面化粧台の上方に備え付けられるミラーキャビネットに係り、特に身長の低い子供や座って洗面化粧台を使用するに好適な鏡を有するミラーキャビネットに関する発明である。
【背景技術】
【０００２】
従来、ポイントメイキャップや髭剃りなどの目的で手前側にスライドする鏡を有するミラーキャビネットの鏡は、例えばミラーキャビネット収納空間開口部を開閉する扉を兼用した鏡が枠体を介して、その枠体の一辺がミラーキャビネットに、その対辺が鏡といずれも水平方向に回動自在に軸支される。鏡のみが回動すれば収納部を開閉する扉として機能し、さらに枠体も回動すると鏡が前方に垂直状態を維持したまま移動し鏡を近づけ被写体を詳細に見ることが可能になる。
【０００３】
この方法では比較的簡単な機構で鏡を手前側に移動することが可能であるが、身長の低い子供やスツールなどに腰掛けて洗面化粧台を使用する場合や車いすに座った状態では下方側で見ようと被写体が鏡の下端からはずれ見えなくなっている。例えば、使用者が顔を写す場合には下方側寸法が足りなく被写体である顔全体が写らず使い勝手が悪くなっていた。
【０００４】
そこで洗面化粧台前でスツールなどに着座して使用したり、車いすに乗った状態で使用しても顔などの被写体が写らなくならないように鏡が下方側に移動する提案がなされた。（例えば、特許文献１参照。）
【０００５】
特許文献１で提案の構造では、鏡取り付け枠体とキャビネット側をリンクで連結し、その枠体に収納空間を開閉する鏡扉を水平方向に回動するように軸支しする構造を有している。そのため枠体とミラーキャビネットのリンク接続構造、枠体と鏡の水平回動軸支構造などが重厚で複雑になり、さらに前後方向移動の操作性を上げるためアシスト機能や下げる時のダンパー機能、所望位置での保持機能などコストアップにもなるという問題があり満足のいくものではなかった。また前方方向の移動量と下方方向の移動量を任意にそれぞれ独立設定できず、使い勝手もわるいものとなっていた。
また、鏡が左右に移動できないため、洗面化粧台の中央から左右に移動した位置で使用する際の使い勝手が悪いという課題もあった。
【０００６】
また別の提案では、補助鏡を３面鏡のいずれかの鏡の裏側に回動自在に備え付けて、必要時に鏡裏側から回動させ３面鏡を構成する鏡の下側に補助鏡の反射面が形成されるようにし鏡の写る範囲を下方側に伸ばしていた（例えば、特許文献２参照。）。
この提案では補助鏡を使用の都度被写体が適当な位置に写るように垂直度を調整する必要があり、３面鏡を構成する鏡とのつなぎ目により被写体の連続性が損なわれ見にくくなるという欠点があった。
【特許文献１】特開２００５−２０５１６０号公報（第１３頁、第２図）
【特許文献２】特開２００８−３１２号公報（第４頁、第４図）
【発明の概要】
【発明が解決しようとする課題】
【０００７】
本発明は、上記問題を解決するためになされたもので、本発明の課題は、使用者の身長や姿勢・体型、スツール使用の有無など、洗面化粧台でなされる種々の洗面行為や使われ方に対し使い勝手のよい鏡最適位置での洗面化粧台を使用することのできるミラーキャビネットを簡単な構造、低コストで提供することである。
【課題を解決するための手段】
【０００８】
上記目的を達成するために請求項１記載の発明によれば、ミラーキャビネット本体と、鏡と、枠体と、を備え、前記枠体は垂直方向の第一の辺と、前記第一の辺と平行な第二の辺と、前記第一の辺と前記第二の辺を接続する横枠辺と、からなり、前記枠体は前記第一の辺を前記ミラーキャビネット本体に水平方向回動自在に軸支され、前記鏡は前記枠体の前記第一の辺と平行な第二の辺に水平方向回動自在に軸支され、前記第一の辺および前記第二の辺は、前記横枠辺とそれぞれ上下方向に回動自在に軸連結されていることを特徴とするミラーキャビネットが提供される。
これにより簡単な構造・構成によりミラーキャビネットの鏡を手前側と下方側に移動可能とすることができ、前後方向、上下方向の移動位置を任意に設定可能となる。また鏡の下方側に付加的に付ける補助鏡のように角度が微妙にずれて鏡に写る被写体の連続性が損なわれることもない。
なお、ここでいう枠体とは、上下左右の４本のフレームが結合された４角形状の枠体のみならず、左右１本のフレームを省略したコ字形状の枠体であってもよい。
【０００９】
また、請求項２記載の発明のよれば、前記鏡が照明を備えることを特徴とする請求項１に記載のミラーキャビネットが提供される。
これにより鏡をどの位置に移動してもミラーキャビネットに備え付けられた照明の影となって被写体への照射を妨げることもなく、すなわち拡大して詳細を見る目的のために鏡を手前に移動する行為が、結果的に照度が落ちその目的を阻害することなく鏡を手前に移動することが可能となる。
【発明の効果】
【００１０】
本発明によれば、鏡位置が移動するミラーキャビネットの鏡移動方向が簡単で低コストな機構で実現でき、使用者の最適な鏡位置を設定できる使い勝手のよい移動鏡を提供することが可能となる。
【図面の簡単な説明】
【００１１】
【図１】本発明の１実施例によるミラーキャビネットを備えた洗面化粧台の外観を              示す斜視図。
【図２】本発明鏡移動機構の構成を説明するための一部鏡を透視したミラーキャビ              ネット斜視図。
【図３】図２に示すキャビネットと枠体の連結構造Ａ部を説明するための拡大図。
【図４】図２に示す枠体と鏡の連結構造Ｂ部を説明するための拡大図。
【図５】移動鏡に照明を備え付けたミラーキャビネットを説明するための斜視図。
【図６】従来のスウィング鏡の動きを説明するための上視図。
【発明を実施するための形態】
【００１２】
以下、本発明の好ましい実施の形態について、従来技術を説明した後、図面を参照しながら説明する。
【実施例】
【００１３】
図６は、ミラーキャビネット３に備え付けられた鏡の前後方向移動に関する従来技術であるスウィング式鏡の構成を説明するための洗面化粧台１の上視図である。ミラーキャビネット３はボール部２１の上方後方に備え付けられる。ミラーキャビネット３前方には収納空間３３が形成され、その収納空間３３の開口を覆う両サイドの袖鏡３２と中央の主鏡３１で三面鏡が構成される。袖鏡３２はそれぞれ主鏡３１と隣り合う縦辺を回動軸としてミラーキャビネットに軸支水平方向に回動して収納空間開口部を開閉可能に形成されている。
【００１４】
主鏡３１は、片側縦辺がミラーキャビネット３と水平方向回動自在に軸支連結した枠体５０にその枠体の対向する縦辺に水平方向に回動自在に軸着連結されている。
【００１５】
主鏡３１が収納空間３３を閉じているときは枠体５０と重なって収納空間外周部に重なる。主鏡３１と枠体５０の軸連結部のみを回動させることにより、収納空間３３を開口させる。主鏡３１を前方へ移動させたい時は、枠体５０をミラーキャビネット３から回動させるとともに、主鏡３１に被写体が写るように枠体５０と主鏡３１を水平方向に回動させる。その結果、主鏡３１は使用者に向ってミラーキャビネット３から前方へ移動する。
【００１６】
図１は本発明実施例によるミラーキャビネット３を備え付けた洗面化粧台１全体斜視図である。背面側が壁に当接設置されたボールキャビネット２の上方に、収納部を有するミラーキャビネット３が備え付けられている。収納空間３３の開口部を開閉する２枚の袖鏡３２と主鏡３１は３面鏡を形成しており、主鏡３１に関しては前述のスウィング機構により使用者側に移動し被写体の詳細を見ることができるように構成されている。さらに後述する手段により垂直状態を維持したまま下方に移動可能とされている。これにより常に使用者の要望する位置に主鏡３１を移動させることが可能となり、身長の低い子供が使用する場合や、メイクなどで椅子に座って洗面化粧台１を使用する場合でも被写体が鏡の下方からはずれることなく、使い勝手が改善される。
【００１７】
図２は、本発明の実施実施例を示した一部透視を用いたミラーキャビネット３の斜視図であり、図３、図４はそれぞれ図２のＡ部、Ｂ部の詳細拡大図である。図２、図３、図４により主鏡３１の下方移動を実現する具体的方法を説明する。
【００１８】
図２に示すように、収納空間３３を有するミラーキャビネット３は収納空間３３を開閉する２枚の袖鏡３２と主鏡３１で三面鏡が形成される。袖鏡３２はそれぞれ内側縦辺を軸に内側へ向って軸支するように形成されている。主鏡３１は、枠体５０を介してミラーキャビネット３と連結されている。枠体５０は内側縦枠辺（第一の辺）がミラーキャビネット３と水平方向回動自在に軸支され、外側縦枠辺（第二の辺）５０ｂが主鏡３１（鏡）と水平方向回動自在に軸支されている。
なお、本実施例においては、枠体５０は内側縦枠辺にはフレームが存在せず、コの字型の形状となっている。枠体５０にさらなる強度が必要とされる場合においては、内側縦枠辺にフレームを配置し、４角形状の枠体としてもよい。
【００１９】
さらに図３、図４を用いて主鏡３１の上下方向移動の方法の詳細を説明する。
図３に示すように、ミラーキャビネット３には水平回動の軸受が形成された軸支ブラケット５１ａが固定されている。ミラーキャビネット３と枠体５０とを連結するための連結部材５３ａの一端は、軸支ブラケット５１ａに水平を保ちながら水平方向回動自在に軸支され、他端は枠体５０の横枠辺５０ａに垂直方向回動自在に軸連結される。
【００２０】
図４では主鏡３１と枠体５０との連結の詳細を示した図で、枠体の外側縦枠辺５０ｂに水平回動の軸受が形成された軸支ブラケット５１ｂが固定され、水平回動軸５９により主鏡３１を保持している鏡フレーム６０は枠体５０と水平方向回動自在に連結される。また縦枠辺５０ｂと横枠辺５０ａは、一端が鏡連結軸支ブラケット５１ｂを介して外側縦枠辺５０ｂと連結固定し、他端が横枠辺５０ａに垂直回動軸５８で軸着した連結部材５３ｂにより連結される。
【００２１】
横枠辺５０ａの対辺側の下に位置する横枠辺５０ａも同様にキャビネット３および主鏡３１と連結している。結果枠体５０は四つの角部で上下方向に回動する軸を有しこれにより四接平行四辺形リンクが形成される。上下方向に力が作用しない時は各軸の回動摩擦抵抗により所定位置に止まっているが、上下方向に力を作用させると回動摩擦抵抗に抗して各回動軸が連動して回動し、外側縦枠辺５０ｂは垂直状態を維持しつつ上下方向に移動する。結果、外側縦枠辺５０ｂに連結した主鏡３１も上下方向に移動可能となる。
このようにして、主鏡３１は前後方向に移動すると同時に、単に四頂点に垂直方向に回動する軸を持たせることにより簡単に上下方向にも移動の機能を付与することができる。
【００２２】
図５は、本発明の上記実施例のミラーキャビネットにおいて一体的に備え付けられた照明付き移動鏡を説明する模式図である。
三面鏡を構成する中央の主鏡３１は四節平行四辺形リンクを有する枠体５０を介してミラーキャビネット３と連結されている。この主鏡３１の上部には一体的に主鏡３１前面側を照射する照明７０が備え付けられている。
そのため主鏡３１がどこの位置に移動しても、照明７０も主鏡３１と一体的に移動することとなり、主鏡３１前面側は一定の照度で照射される。このため、暗くなったり影ができることなく被写体を写すことができる。とくにメイクや髭剃りなど鏡を近づけて細部を拡大して見たい時など主鏡３１前面側を一定照度に保ったままなので使い勝手が各段に向上する。
【００２３】
本実施例では照明７０の光源をＬＥＤとしているため、照明７０を薄型にでき主鏡３１の厚さ方向に出っ張ることも少ない。さらに照明７０自身が上下方向に回動する様に軸が形成され、必要に応じて照明７０の照射角度が変えられる様になっている。これにより、例えば使用者の顔、ボール部作業の手元、室内を明るくしたい時など、用途に応じて照明７０が照らす範囲を自由に移動させることが可能となる。
なお、本実施例においては光源としてLEDを採用したが、光源としてはこのほかに蛍光灯や白熱灯など様々な種類から適宜選ぶことができる。
【００２４】
以上、本発明の実施例について、具体例を交えながら説明を行った。本発明は、上記のような具体例に限られるものではなく、本発明の技術的範囲を逸脱しない限り、適宜自由に設計することが可能なものである。
例えば、実施例においては枠体５０の左端部をミラーキャビネット３に、右端部を主鏡３１に、それぞれ接続したが、左右を逆とすることも可能としてもよい。
【符号の説明】
【００２５】
１…洗面化粧台
２…ボールカウンター
３…ミラーキャビネット
２１…ボール部  
２２…水栓レバー
２３…水栓吐水口
３１…主鏡
３２…袖鏡
３３…収納部
５０…枠体
５０ａ…横枠辺
５０ｂ…縦枠辺
５１ａ…キャビネット連結軸支ブラケット
５１ｂ…鏡連結軸支ブラケット
５２…枠体水平回動軸
５３ａ…連結部材Ａ
５３ｂ…連結部材Ｂ
５４…枠体垂直方向回動軸
５５…袖鏡軸支ブラケット
５９…鏡水平回動軸
６０…鏡フレーム
７０…照明
【図１】
2011206386.tif 000003
【図２】
2011206386.tif 000004
【図３】
2011206386.tif 000005
【図４】
2011206386.tif 000006
【図５】
2011206386.tif 000007
【図６】
2011206386.tif 000008